(57)【要約】【課題】表示ユニット間を跨がる表示内容の歪みを抑えつつ、画像処理の負担を軽減することができる画像表示装置を提供すること。【解決手段】制御信号に基づいて画像の一部をそれぞれ表示する複数の表示ユニットを隣接して配置し、前記表示ユニットが並んで配置される方向に沿って表示内容が移動するように表示する画像表示装置であって、前記表示ユニットは、前記画像を表示する第１の領域と、前記第１の領域の周囲に配置され、画像を表示しない第２の領域と、を含む複合領域を有し、前記表示ユニット同士は、前記第２の領域を挟んで隣接して配置され、前記画像表示装置は、前記表示ユニット毎に形成された前記各複合領域を合算した合算領域のサイズに合わせて生成され、かつ前記表示内容が移動するよう連続的に生成された画像を入力し、前記生成された画像から前記第２の領域に相当する部分が抜かれた状態の画像を表示する。【選択図】図９
2019008238.tif 000002
【特許請求の範囲】
【請求項１】
制御信号に基づいて画像の一部をそれぞれ表示する複数の表示ユニットを隣接して配置し、前記表示ユニットが並んで配置される方向に沿って表示内容が移動するように表示する画像表示装置であって、
前記表示ユニットは、前記画像を表示する第１の領域と、前記第１の領域の周囲に配置され、画像を表示しない第２の領域と、を含む複合領域を有し、
前記表示ユニット同士は、前記第２の領域を挟んで隣接して配置され、
前記画像表示装置は、前記表示ユニット毎に形成された前記各複合領域を合算した合算領域のサイズに合わせて生成され、かつ前記表示内容が移動するよう連続的に生成された画像を入力し、前記生成された画像から前記第２の領域に相当する部分が抜かれた状態の画像を表示する
ことを特徴とする画像表示装置。
【請求項２】
前記第１の領域は、複数の表示ラインにより構成され、
前記第２の領域は、複数のダミー表示ラインにより構成され、
前記複合領域は、前記表示ラインと、前記ダミー表示ラインと、により構成され、
前記表示ユニット同士は、前記ダミー表示ラインを挟んで配置されている
ことを特徴とする請求項１に記載の画像表示装置。
【請求項３】
前記第１の領域は、複数の表示ラインにより構成され、
前記第２の領域は、前記表示内容の移動方向に直交する方向に画素が並べられた画素列から構成され、
前記画像表示装置は、前記表示ラインの画素の前記移動方向に平行な方向の長さをＰ、前記第２の領域の前記移動方向に沿った長さをＬとし、前記生成された画像から前記第２の領域に相当する部分として、Ｌ／Ｐ画素分の画像が抜かれた状態の画像を表示する
ことを特徴とする請求項１に記載の画像表示装置。
【請求項４】
さらに、制御基板を備え、
前記表示ユニットは、
画素電極と、前記画素電極に対向する対向電極と、各電極を接続するデータラインと、各電極を接続しないダミーラインと、を有し、
前記データラインに接続された前記画素電極と前記対向電極とにより、前記第１の表示領域の画像を表示し、
前記ダミーラインにより、前記ダミー表示ラインを構成する
ことを特徴とする請求項２に記載の画像表示装置。
【請求項５】
さらに、制御基板を備え、
制御基板は、画像生成部と、ユニット制御部と、を有し、
前記画像生成部は、前記合算領域のサイズに合わせて前記画像を生成し、
前記ユニット制御部は、前記画像生成部により生成された前記画像を前記各表示ユニットに表示する制御を行う
ことを特徴とする請求項１乃至３のうち何れか１項に記載の画像表示装置。
【請求項６】
前記第２の領域は、前記第１の領域の周囲に形成された目地に相当する領域である
ことを特徴とする請求項１乃至５のうち何れか１項に記載の画像表示装置。
【発明の詳細な説明】
【技術分野】
【０００１】
本発明は、画像表示装置に関する。
【背景技術】
【０００２】
従来から、複数の表示ユニットを連結して、これら全体で１つの大画面を構成する大型の画像表示装置が使用されている。
【０００３】
この画像表示装置を構成する各表示ユニットの周囲には、目地と呼ばれる表示内容を表示することができないシール部や端子等を覆うための領域（以下、「目地領域」と称する）が存在する。このため、表示ユニットが並んで配置される方向に沿って表示内容が移動するように表示させた場合、表示内容が目地領域の幅の分だけ間延びするため、表示内容を構成する絵や文字が歪みとなり不自然な表示となってしまう。
【０００４】
そこで、映像情報を垂直方向および水平方向に対しそれぞれ所定の幅で移動表示処理を行うことで目地領域の補正を行う技術が開示されている（例えば、特許文献１参照）。
【先行技術文献】
【特許文献】
【０００５】
【特許文献１】特開２００６−３１９５０９号公報
【発明の概要】
【発明が解決しようとする課題】
【０００６】
しかしながら、従来技術では、目地領域の補正を行うための画像処理を行う必要があるため、当該処理を行うためのソフトウェアの作成に手間がかかっていた。さらに、表示内容が目地領域を跨いで移動するたびに、目地領域の画像処理に負担がかかるという問題があった。
【０００７】
１つの側面として、本発明は、表示ユニット間を跨がる表示内容の歪みを抑えつつ、画像処理の負担を軽減することを目的とする。
【課題を解決するための手段】
【０００８】
本発明は、上記課題を解決するため、下記のような構成を採用した。
【０００９】
即ち、本発明の一態様によれば、本発明の画像表示装置は、制御信号に基づいて画像の一部をそれぞれ表示する複数の表示ユニットを隣接して配置し、前記表示ユニットが並んで配置される方向に沿って表示内容が移動するように表示する画像表示装置であって、前記表示ユニットは、前記画像を表示する第１の領域と、前記第１の領域の周囲に配置され、画像を表示しない第２の領域と、を含む複合領域を有し、前記表示ユニット同士は、前記第２の領域を挟んで隣接して配置され、前記画像表示装置は、前記表示ユニット毎に形成された前記各複合領域を合算した合算領域のサイズに合わせて生成され、かつ前記表示内容が移動するよう連続的に生成された画像を入力し、前記生成された画像から前記第２の領域に相当する部分が抜かれた状態の画像を表示することを特徴とする。
【発明の効果】
【００１０】
本発明によれば、表示ユニット間を跨がる表示内容の歪みを抑えつつ、画像処理の負担を軽減することができる。
【図面の簡単な説明】
【００１１】
【図１】画像表示装置の構成の一例を示す図である。
【図２】表示ユニットの構成の一例を示す分解斜視図である。
【図３】液晶パネルの構成の一例を示す分解斜視図である。
【図４】液晶パネルを正面から見た状態の模式図である。
【図５】液晶パネルを底面から見た状態の模式図である。
【図６】本実施形態の画像表示装置において生成した画像の一例を示す説明図である。
【図７】表示ユニットの一例を示す図である。
【図８】画像表示装置において生成した画像を移動して表示する一例を示す説明図である。
【図９】本実施形態の画像表示装置において生成した画像の一例を示す説明図である。
【図１０】本実施形態の画像表示装置において生成した画像を移動して表示する一例を示す説明図である。
【発明を実施するための形態】
【００１２】
＜画像表示装置の一例＞
以下、図面を参照して、実施形態について説明する。図１は、画像表示装置１０の構成の一例を示す図である。
【００１３】
画像表示装置１０は、制御基板２０と、表示ユニット部３０と、を備える。
【００１４】
制御基板２０は、画像生成部２１と、ユニット制御部２２と、を備える。表示ユニット部３０は、２つの表示ユニット３１ａ、３１ｂを備える。
【００１５】
画像生成部２１は、表示ユニット部３０で表示する表示内容が移動するように表示する画像を連続的に生成する。ユニット制御部２２は、表示ユニット部３０に制御信号を送ることにより、生成された画像を、表示ユニット３１ａ、３１ｂが並んで配置される方向に沿って表示内容が移動するように画像を表示する制御を行う。
【００１６】
表示内容が移動するように表示するとは、単位周期毎に１ドットの画素の大きさ分、表示ユニット部３０に表示される画像をずらして表示すること、言い換えると、表示内容を流動して表示することを意味する。画像生成部２１およびユニット制御部２２により表示ユニット部３０に表示内容を移動するように表示する方法の詳細については、後述する。
【００１７】
各表示ユニット３１ａ、３１ｂは、表示内容を移動する方向（以下、「移動方向」と称する）（例えば、図１の左右方向）に隣接して配置される。本実施形態においては、説明の便宜上、以下表示ユニット部３０が、２つの表示ユニット３１ａ、３１ｂを備えている例について説明するが、この限りではない。例えば、表示ユニット部３０は、表示ユニットを３つ以上複数備えることもできる。各表示ユニット３１ａ、３１ｂは、例えば、表示内容の移動方向に隣接して複数配置されたドットマトリクス方式の液晶ディスプレイにより構成される。各表示ユニット３１ａ、３１ｂの周囲には、画像を表示することができない目地領域６０４、６０５（後述の図７参照）が形成されている。
【００１８】
以下、表示ユニット３１ａと、３１ｂと、を特に区別して説明する必要がない場合には、表示ユニット３１ａ、３１ｂを「表示ユニット３１」と称する。
【００１９】
次に、表示ユニット部３０を構成する１つの表示ユニット３１について説明する。図２は、表示ユニット３１の構成の一例を示す分解斜視図である。図２では、Ｘ、ＹおよびＺの３次元の方向を示している。Ｘ方向は、移動方向、すなわち表示ユニット３１が並んで配置される方向（図２の場合、左右方向）である。Ｚ方向は、移動方向に直交する方向（図２の場合、高さ方向）である。Ｙ方向は、ＸＺ平面に直交する方向（図２の場合、奥行き方向）である。
【００２０】
表示ユニット３１は、カバー３１０と、液晶パネル３２０と、液晶ドライバ基板３３０と、ＬＥＤ（light emitting diode）バックライト３４０と、を備える。
【００２１】
表示ユニット３１は、筐体であるカバー３１０の裏側に液晶パネル３２０を配置し、その液晶パネル３２０の裏側に液晶ドライバ基板３３０と、ＬＥＤバックライト３４０と、を配置して構成されている。液晶ドライバ基板３３０は、制御基板２０から送られた制御信号に基づいて、液晶パネル３２０で画像を移動して表示する制御を行う。
【００２２】
液晶パネル３２０の構成について、図３、図４、図５、図６、図７を参照して説明する。図３は、液晶パネル３２０の構成の一例を示す分解斜視図である。図４は、液晶パネル３２０を正面から見た状態の模式図である。図５は、液晶パネル３２０を底面から見た状態の模式図である。図５では、説明の便宜上、同一平面上に各構成部材を表している。図６は、本実施形態の画像表示装置において生成した画像の一例を示す説明図である。図７は、表示ユニット３１の一例を示す図である。
【００２３】
液晶パネル３２０は、後側基板４０１と、前側基板４０２と、シール部４０６と、液晶４０７と、端子４４０と、を備える。
【００２４】
後側基板４０１には、画素電極４０３−１〜４０３−ｎ（ｎは自然数）と、後側データライン４１１−１〜４１１−ｎと、ダミーライン４３１〜４３４と、が設けられる。
【００２５】
前側基板４０２には、対向電極４０４−１〜４０４−ｎと、前側データライン４１２−１〜４１２−ｎと、が設けられる。
【００２６】
後側データライン４１１−１〜４１１−ｎと、前側データライン４１２−１〜４１２−ｎと、ダミーライン４３１〜４３４と、は端子４４０にそれぞれ接続される。端子４４０は、移動方向に直交する方向の底面側の端部（Ｚ方向の下側）に設けられ、液晶ドライバ基板３３０と接続する。
【００２７】
後側データライン４１１−１〜４１１−ｎおよび前側データライン４１２−１〜４１２−ｎは、それぞれ端子４４０から移動方向に直交する方向（Ｚ方向）に並行に伸びて配置される。
【００２８】
後側データライン４１１−１〜４１１−ｎは、ｎ個の後側データライン４１１−１〜４１１−ｎ毎に沿って配置されたｎ個の画素電極４０３−ｎと接続され、液晶ドライバ基板３３０から送られた電圧を画素電極４０３−１〜４０３−ｎに送る。
【００２９】
前側データライン４１２−１〜４１２−ｎは、ｎ個の前側データライン４１２−１〜４１２−ｎ毎に沿って配置されたｎ個の対向電極４０４−１〜４０４−ｎと接続され、液晶ドライバ基板３３０から送られた電圧を対向電極４０４−１〜４０４−ｎに送る。
【００３０】
液晶４０７は、後側基板４０１と、前側基板４０２と、により挟持される。そして、液晶４０７は、後側基板４０１および前側基板４０２の周囲に設けられたシール部４０６により封入される。
【００３１】
後側データライン４１１−１〜４１１−ｎおよび前側データライン４１２−１〜４１２−ｎに沿って接続された画素電極４０３−１〜４０３−ｎおよび対向電極４０４−１〜４０４−ｎは、シール部４０６の内側に配置される。
【００３２】
液晶パネル３２０は、後側データライン４１１−１〜４１１−ｎ、前側データライン４１２−１〜４１２−ｎに接続された画素電極４０３−１〜４０３−ｎ、対向電極４０４−１〜４０４−ｎから液晶４０７にかける電圧を変化させて、画像を表示する。したがって、シール部４０６の内側に配置された画素電極４０３−１〜４０３−ｎおよび対向電極４０４−１〜４０４−ｎの部分が、画像の各画素を表示する表示領域６０２となる。以下、表示ユニット３１ａの表示領域を表示領域６０２ａ（後述の図９参照）と称する。また、表示ユニット３１ｂの表示領域を表示領域６０２ｂ（後述の図９参照）と称する。
【００３３】
各データラインのうち、１組の後側データライン４１１−１〜４１１−ｎと、前側データライン４１２−１〜４１２−ｎとの組を以下、「１組のデータライン」４１３−１〜４１３−ｎと称する。また、１組のデータライン４１３−１〜４１３−ｎに接続されている画素電極４０３−１〜４０３−ｎ、対向電極４０４−１〜４０４−ｎを以下、「１組の電極４０５−１〜４０５−ｎ」と称する。
【００３４】
対向する１組の電極４０５−１〜４０５−ｎ間にかける電圧を変化させることで、１組のデータライン４１３−１〜４１３−ｎに対応する画像が表示される。
【００３５】
このため、表示領域６０２に設けられた各１組のデータライン４１３−１〜４１３−ｎは、それぞれ横方向に１ドットの画素、縦方向に１１ドットの画素分の表示を行う各表示ライン６０１−１〜６０１−ｎを形成する。すなわち、表示ライン６０１−１〜６０１−ｎは、移動方向に直交する方向に画素が複数並べられた画素列から構成される。
【００３６】
表示ライン６０１−１〜６０１−ｎが形成された表示領域６０２は、画像を表示する本発明の第１の領域に相当する。以下、表示ユニット３１ａの表示ラインを表示ライン６０１ａ−１〜６０１ａ−ｎ（図９参照）と称する。また、表示ユニット３１ｂの表示ラインを表示ライン６０１ｂ−１〜６０１ｂ−ｎ（図９参照）と称する。
【００３７】
液晶パネル３２０は、各画素電極４０３−ｎと、対向電極４０４−ｎとを、それぞれ縦方向に１１個配置している。また、液晶パネル３２０は、移動方向に対し表示ライン６０１−１〜６０１−ｎを１０個並列して配置している。したがって、液晶パネル３２０で画像を表示する第１の領域のサイズは、横１０×縦１１＝１１０ドットとなる。
【００３８】
ダミーライン４３１、４３２、４３３、４３４は、端子４４０にのみ接続され、後側基板４０１、前側基板４０２に沿って端子４４０から伸びて配置されておらず、各画素電極４０３−１〜４０３−ｎおよび対向電極４０４−１〜４０４−ｎと接続しない。
【００３９】
ダミーライン４３１、４３２は、移動方向の右側に設けられたシール部４０６と重畳した目地領域６０４に配置される。同様に、ダミーライン４３３、４３４は、移動方向の左側に設けられたシール部４０６と重畳した目地領域６０５に配置される。以下、表示ユニット３１ａの右側および左側に設けられた目地領域をそれぞれ目地領域６０４ａ、６０５ａ（図１０参照）と称する。同様に、表示ユニット３１ｂの右側および左側に設けられた目地領域をそれぞれ目地領域６０４ｂ、６０５ｂ（図１０参照）と称する。
【００４０】
シール部４０６は、所定の幅に形成されており、本実施形態においては、約１ｍｍで形成されている。目地領域６０４および目地領域６０５の幅は、シール部４０６の幅に対応して形成されており、シール部４０６の幅に加えて、若干の余裕を持った幅に形成されている。本実施形態においては、各目地領域６０４、目地領域６０５の幅は、約１．５ｍｍに形成されている。
【００４１】
これらダミーライン４３１、４３３は、それぞれ前側データラインに対応し、ダミーライン４３２、４３４は、それぞれ後側データラインに対応する。ダミーライン４３１と、ダミーライン４３２と、の組およびダミーライン４３３と、ダミーライン４３４と、の組を以下、「１組のダミーライン」４３５、４３６と称する。
【００４２】
１組のダミーライン４３５、４３６は、各画素電極４０３−１〜４０３−ｎ、対向電極４０４−１〜４０４−ｎに接続されていないため、液晶ドライバ基板３３０から電圧が供給された場合であっても、１組のダミーライン４３５、４３６から各電極に対し電圧は送られない。したがって、１組のダミーライン４３５、４３６に電圧が送られても液晶４０７に電圧をかけることはできず、画像が表示されることはない。
【００４３】
目地領域６０４、６０５にそれぞれに設けられた１組のダミーライン４３５、４３６は、それぞれ横方向に１ドットの画素、縦方向に１１ドットの画素分の表示を行わない各ダミー表示ライン６１１、６１２を形成する。すなわち、ダミー表示ライン６１１、６１２が形成された領域は、画像を表示しない本発明の第２の領域に相当する。ダミー表示ライン６１１、６１２は、移動方向に直交する方向に１つの画素から構成される。
【００４４】
液晶ドライバ基板３３０および制御基板２０に対し、１組のダミーライン４３５、４３６により形成された横１×縦１１ドットの仮想的な表示領域であるダミー表示ライン６１１、６１２に、画像が表示されていると見せかけることができる。
【００４５】
以下、表示ユニット３１ａのダミー表示ラインをダミー表示ライン６１１ａ、６１２ａ（後述の図９、図１０参照）と称する。表示ユニット３１ｂのダミー表示ラインをダミー表示ライン６１１ｂ、６１２ｂ（後述の図９、図１０参照）と称する。
【００４６】
第１の領域の縦のサイズは１１ドットであり、また、液晶パネル３２０は、移動方向の左右端部において各ダミー表示ライン６１１、６１２を１個ずつ配置している。したがって、液晶パネル３２０で画像を表示しない第２の領域のサイズは、横２×縦１１＝２２ドットとなる。
【００４７】
画像生成部２１は、横１０×縦１１ドットのサイズの第１の領域と、横２×縦１１ドットのサイズの第２の領域と、を含む横１２×縦１１ドットのサイズの複合領域６０６のサイズに合わせて表示内容が移動するよう画像を連続的に生成する。そして、表示ユニット部３０は、複合領域６０６のサイズに合わせて生成された画像を入力し、生成された画像からダミー表示ライン６１１、６１２が形成された領域に相当する部分が抜かれた状態の画像を表示する。以下、表示ユニット３１ａの複合領域を複合領域６０６ａ（後述の図９、図１０参照）と称する。同様に、表示ユニット３１ｂの複合領域を複合領域６０６ｂ（後述の図９参照）と称する。
【００４８】
複合領域６０６は、横１×縦１１ドット分の列のダミー表示ライン６１１、６１２がそれぞれ移動方向左右端に配置されている。したがって複合領域６０６のサイズは、表示領域６０２と比較して移動方向の左右に横１×縦１１ドットのサイズ分大きく形成されている。
【００４９】
従来の画像表示装置が画像を生成する一例について説明する。図８は、画像表示装置において生成した画像を移動して表示する一例を示す説明図である。
【００５０】
図８の例では、画像表示装置の表示ユニット部は、２つの表示ユニットを有する。
【００５１】
２つの表示ユニットはそれぞれ、縦１１×横１０ドットのサイズの表示領域８０２ａ、８０２ｂを有する。したがって、表示ユニット部は、表示領域８０２ａ、８０２ｂを合算した縦２２×横２０ドットの１つの大きなサイズの合算領域８０８を有する。合算領域８０８のうち、移動方向に直交する方向に配置された横１×縦１１ドットの画素のサイズの表示領域を１個の表示ライン８０１−ｍ（ｍは自然数）とする。合算領域８０８は、横２０ドットで形成されているため、移動方向と直交する方向に並列された２０個の表示ライン８０１−１〜８０１−ｍ（ｍ＝２０）により構成される。
【００５２】
各表示ユニットは、移動方向の左右の端部にそれぞれ横１×縦１１ドットの画素のサイズに相当する目地の領域を有している。このため、表示領域８０２ａと、表示領域８０２ｂと、が隣接する境界領域には、横２×縦１１ドットの画素のサイズに目地に相当する領域が存在する。隣接する２つの表示領域８０２ａ、８０２ｂの境界に存在する目地の領域を境界ライン８１０とする。
【００５３】
画像表示装置は、縦２２×横２０ドットの合算領域８０８のサイズに合わせて画像を生成し、生成した画像を合算領域８０８に移動して表示する。ここでは、例として「８」を表示内容８２１として合算領域８０８において移動して表示する例について説明する。
【００５４】
画像表示装置は、１周期につき１個の表示ライン分移動した画像を生成する。但し、目地領域に相当する境界ライン８１０において、画像が間延びするのを防ぐために、画像表示装置は、所定の画像処理を行う必要がある。すなわち、画像表示装置は、１周期毎に、合算領域８０８のうち境界ライン８１０に接する表示内容を、移動方向に対し２個の表示ライン分遅延させた画像を生成して表示する画像処理を行う。本実施形態においては、表示内容は図８の右方から左方に移動して表示されている。
【００５５】
１周期目および２周期目に示すように、画像表示装置は、１周期毎に１個の表示ライン分移動方向に表示内容を移動した画像を生成して、合算領域８０８に表示する。
【００５６】
３周期目および４周期目に示すように、境界ライン８１０に接する横２×縦１１ドットの画素の列が、移動方向に対し遅延するように画像処理が行われる。すなわち、３周期目に入ると、画像表示装置は、合算領域８０８のうち、２周期目の表示ライン８０１−１０において表示していた横１×縦１１ドットの画素の列を削除して移動した画像を生成し、合算領域８０８に表示する処理を行う。同様に、４周期目に入ると、画像表示装置は、合算領域８０８のうち、３周期目の表示ライン８０１−１０において表示されていた横１×縦１１ドットの画素の列を削除して移動した画像を生成し、合算領域８０８に表示する処理を行う。
【００５７】
さらに、５周期目に入ると、画像表示装置は、３周期目において削除した２周期目の表示ライン８０１−１０で表示していた横１×縦１１ドットの画素の列を、表示ライン８０１−１１において再度表して移動した画像を生成する。そして生成した画像を、合算領域８０８に表示する処理を行う。同様に、６周期目に入ると、画像表示装置は、４周期目において削除した３周期目の表示ライン８０１−１０で表示していた横１×縦１１ドットの画素の列を、表示ライン８０１−１１において再度表して移動した画像を生成する。そして生成した画像を、合算領域８０８に表示する処理を行う。
【００５８】
このように、表示ユニット同士が隣接した境界ライン８１０において、表示内容が目地領域の幅の分だけ間延びするのを防ぐために、目地の幅に対応する画素に応じて削除したり再度表したりした画像を生成して表示する処理を行わなければならない。当該処理を行うためには、ソフトウェアの作成に手間がかかるとともに、画像処理に負担がかかっていた。そこで、本実施形態においては、画像表示装置１０により画像を移動して表示することとした。
【００５９】
次に、本実施形態の画像表示装置１０において表示内容が移動するよう連続的に生成された画像を入力し、生成した画像を移動して表示する例について図９、図１０を参照して説明する。
【００６０】
図９は、本実施形態の画像表示装置１０において生成した画像の一例を示す説明図である。図１０は、本実施形態の画像表示装置１０において生成した画像を移動して表示する一例を示す説明図である。
【００６１】
画像表示装置１０の各表示ユニット３１ａ、３１ｂはそれぞれ、縦１１×横１０ドットのサイズの表示領域６０２ａ、６０２ｂを有する。表示領域６０２ａには、表示ライン６０１ａ−１〜６０１ａ−ｎが形成され、表示領域６０２ｂには、表示ライン６０１ｂ−１〜６０１ｂ−ｎが形成されている。各表示ライン６０１ａ−１〜６０１ａ−ｎ、６０１ｂ−１〜６０１ｂ−ｎは、それぞれ移動方向に１０個並べて配置されているため、ｎ＝１０となる。１０個の表示ライン６０１ａ−１〜６０１ａ−１０により形成された横１０×縦１１ドットの表示領域６０２ａが形成されている。同様に、１０個の表示ライン６０１ｂ−１〜６０１ｂ−１０により形成された横１０×縦１１ドットの表示領域６０２ｂが形成されている。
【００６２】
各表示ユニット３１ａ、表示ユニット３１ｂは、移動方向の左右の両端部に、それぞれ横１×縦１１ドットの画素のサイズの目地領域６０４ａ、６０５ａ、目地領域６０４ｂ、６０５ｂを有する。
【００６３】
表示ユニット３１ａの目地領域６０４ａ、６０５ａには、ダミー表示ライン６１１ａ、６１２ａが形成され、表示ユニット３１ａの目地領域６０４ｂ、６０５ｂには、ダミー表示ライン６１１ｂ、６１２ｂが形成される。
【００６４】
このため、表示ユニット３１ａの表示領域６０２ａと、表示ユニット３１ｂの表示領域６０２ｂと、が隣接する目地領域６０５ａ、６０４ｂには、それぞれ横１×縦１１ドットのダミー表示ライン６１２ａと、６１１ｂと、が形成されている。したがって、表示ユニット３１ａ、３１ｂ同士は、ダミー表示ライン６１２ａ、６１１ｂからなる目地領域６０５ａ、６０４ｂを挟んで隣接して配置されている。
【００６５】
表示ユニット３１ａは、表示ライン６０１ａ−１〜６０１ａ−１０により形成された表示領域６０２ａと、ダミー表示ライン６１１ａ、６１２ａにより形成された目地領域６０４ａ、６０５ａと、を含む複合領域６０６ａを形成する。複合領域６０６ａは、横１２×縦１１ドットに形成されている。
【００６６】
同様に、表示ユニット３１ｂは、表示ライン６０１ｂ−１〜６０１ｂ−１０により形成された表示領域６０２ｂと、ダミー表示ライン６１１ｂ、６１２ｂにより形成された目地領域６０４ｂ、６０５ｂと、を含む複合領域６０６ｂを形成する。複合領域６０６ｂは、横１２×縦１１ドットに形成されている。
【００６７】
画像生成部２１は、横１２×縦１１ドットの複合領域６０６ａと、横１２×縦１１ドットの複合領域６０６ｂと、を合わせた横２４ドット×縦１１ドットの合算領域６０８のサイズに合わせて表示内容が移動するように画像を連続的に生成する。そして、ユニット制御部２２は、表示ユニット部３０に制御信号を送ることにより、生成された画像を入力する。そして、表示ユニット部３０の表示ユニット３１ａ、３１ｂは、画像生成部２１が生成した画像のうち、第２の領域に相当するダミー表示ライン６１１ａ、６１２ａ、６１１ｂ、６１２ｂが抜かれた状態の画像を合算領域６０８において表示する。ここでは、例として「８」を表示内容６２１として合算領域６０８において移動して表示する例について説明する。
【００６８】
画像生成部２１は、１周期につき１個の表示ライン分移動した画像を生成する。図９、図１０の左側の図は１周期目の画像の例を示し、右側の図は、左側の図から６周期分画像を移動した６周期目の画像の例が示されている。本実施形態においては、画像は図９、図１０の右方から左方に移動して表示されている。
【００６９】
１周期目に示すように、画像表示装置１０は、表示内容６２１が表された画像を生成して、合算領域６０８に表示する。
【００７０】
１周期目を過ぎると、例えば６周期目に示すように、表示内容６２１が表示領域６０２ａと、表示領域６０２ｂと、が隣接する目地領域６０５ａ、６０４ｂを跨がって表示される。
【００７１】
ここで、表示ライン６０１ａ−１〜６０１ａ−１０、表示ライン６０１ｂ−１〜６０１ｂ−１０の画素の移動方向に平行な方向の長さをＰとする。ダミー表示ライン６１１ａ、６１２ａ、ダミー表示ライン６１１ｂ、６１２ｂの画素の移動方向に平行な方向の長さをＬとする。画像生成部２１は、合算領域６０８のサイズに合わせて画像を生成する。そして、表示ユニット部３０は、画像生成部２１が生成した画像から、第２の領域に相当する部分として、Ｌ／Ｐ画素分の画像が抜かれた状態の画像を表示する。すなわち、表示ユニット部３０は、ダミー表示ライン６１２ａ、６１１ｂに相当する部分が抜かれた状態の画像を表示する。
【００７２】
これにより、表示ユニット部３０は制御基板２０に対し、目地領域６０５ａ、６０４ｂに形成されたダミー表示ライン６１２ａ、６１１ｂに画像が表示されていると見せかけることができる。なお、図１０の右図の例では、ダミー表示ライン６１２ａ、６１１ｂに表示内容６２１の一部が表示されているが、説明の都合上仮想上表現したものであり、実際にはダミー表示ライン６１２ａ、６１１ｂに表示内容６２１が表示されることはない。
【００７３】
したがって、表示内容が目地領域６０５ａ、６０４ｂに跨がって表示される場合であっても、目地領域６０５ａ、６０４ｂの幅の分だけ表示内容が間延びしてしまうのを防止する必要がない。また、制御基板２０側は移動方向に対し遅延したり削除したりするような特段の画像処理を必要としない。これにより、目地領域の分だけ間延びを防ぐための画像処理に負担がかかることもなく、さらにはこのような画像処理を行うためのソフトウェアを別途作成する必要もないためコストの低減を図ることができる。
【００７４】
以上、本発明の実施の形態を、図面を参照しながら説明してきたが、本発明が適用される画像表示装置は、前述の実施の形態に限定されない。
【００７５】
上記実施形態においては、制御基板２０は、画像表示装置１０の中に配置されているがこの限りではない。例えば、無線や有線等のネットワークを介して互いに接続することもできる。
【００７６】
また、上記の実施形態では、表示ユニット３１は、液晶ディスプレイにより形成している例について説明しているがこれに限られない。例えば、目地領域が存在するプラズマディスプレイや、有機ＥＬ（light emitting）ディスプレイを使用することもできる。
【００７７】
また、上記の実施形態では、各表示ユニット３１ａ、３１ｂは、図１の左右方向に隣接して複数配置している例について説明したがこれに限られない。例えば、各表示ユニット３１ａ、３１ｂを図１の上下方向に複数隣接して配置してもよいし、図１の左右方向と、上下方向と、の両方に複数隣接して配置することもできる。
【００７８】
また、上記の実施形態では、図１の右側から左側に表示内容を移動して表示している例について説明したがこれに限られない。例えば、図１の左側から右側に表示内容を移動して表示することもできる。同様に、各表示ユニット３１ａ、３１ｂを図１の上下方向に複数隣接して配置した場合には、図１の上側から下側に表示内容を移動して表示したり、下側から上側に表示内容を移動して表示することもできる。
【００７９】
また、画素電極４０３−１〜４０３−ｎを後側基板４０１に配置し、対向電極４０４−１〜４０４−ｎを前側基板４０２に配置しているがこれに限られない。例えば、画素電極４０３−１〜４０３−ｎを前側基板４０２に配置し、対向電極４０４−１〜４０４−ｎを後側基板４０１に配置することもできる。
【００８０】
上記実施形態においては、１組のダミーライン４３５、４３６により形成された仮想的な表示領域であるダミー表示ライン６１１、６１２に、画像が表示されていると見せかけているがこれに限られない。例えば、ドライバ基板３３０側で、ダミー表示ライン６１１、６１２に相当する領域を仮想的に作成し、この領域において画像が表示されていると見せかけることもできる。
【００８１】
前述してきた本発明の実施の形態は、画像表示装置の一機能としてハードウェアまたはＤＳＰ（Digital Signal Processor）ボードやＣＰＵ（Central Processing Unit）ボードでのファームウェアもしくはソフトウェアにより実現することができる。
【００８２】
また、バスに接続されたＣＰＵ、ＲＯＭ（Read only memory）やＲＡＭ（Random access memory）のメモリ、入力装置、出力装置、外部記録装置、媒体駆動装置、ネットワーク接続装置で構成されるシステムでも実現できる。すなわち、前述してきた実施の形態の画像表示装置１０を実現するソフトェアのプログラムを記録したＲＯＭやＲＡＭのメモリ、外部記録装置、可搬記録媒体を、制御基板２０に供給し、その制御基板２０のコンピュータがプログラムを読み出し実行することによっても、達成されることは言うまでもない。
【００８３】
この場合、可搬記録媒体等から読み出されたプログラム自体が本発明の新規な機能を実現することになり、そのプログラムを記録した可搬記録媒体等は本発明を構成することになる。
【００８４】
プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００８５】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００８６】
１０      画像表示装置
２０      制御基板
２１      画像生成部
２２      ユニット制御部
３０      表示ユニット部
３１      表示ユニット
３１ａ    表示ユニット
３１ｂ    表示ユニット
３１０    カバー
３２０    液晶パネル
３３０    液晶ドライバ基板
３４０    ＬＥＤバックライト
４０１    後側基板
４０２    前側基板
４０３−１〜４０３−ｎ  画素電極
４０４−１〜４０４−ｎ  対向電極
４０５−１〜４０５−ｎ  １組の電極
４０６    シール部
４０７    液晶
４１１−１〜４１１−ｎ  後側データライン
４１２−１〜４１２−ｎ  前側データライン
４１３−１〜４１３−ｎ  １組のデータライン
４３１    ダミーライン
４３２    ダミーライン
４３３    ダミーライン
４３４    ダミーライン
４３５    １組のダミーライン
４３６    １組のダミーライン
４４０    端子
６０１−１〜６０１−ｎ  表示ライン
６０１ａ−１〜６０１ａ−ｎ  表示ライン
６０１ｂ−１〜６０１ｂ−ｎ  表示ライン
６０２    表示領域
６０２ａ  表示領域
６０２ｂ  表示領域
６０４    目地領域
６０４ａ  目地領域
６０４ｂ  目地領域
６０５    目地領域
６０５ａ  目地領域
６０５ｂ  目地領域
６０６    複合領域
６０６ａ  複合領域
６０６ｂ  複合領域
６０８    合算領域
６１１    ダミー表示ライン
６１１ａ  ダミー表示ライン
６１１ｂ  ダミー表示ライン
６１２    ダミー表示ライン
６１２ａ  ダミー表示ライン
６１２ｂ  ダミー表示ライン
６２１    表示内容
８０１−１〜８０１−ｍ  表示ライン
８０２ａ  表示領域
８０２ｂ  表示領域
８０８    合算領域
８１０    境界ライン
８２１    表示内容
【図１】
2019008238.tif 000003
【図２】
2019008238.tif 000004
【図３】
2019008238.tif 000005
【図４】
2019008238.tif 000006
【図５】
2019008238.tif 000007
【図６】
2019008238.tif 000008
【図７】
2019008238.tif 000009
【図８】
2019008238.tif 000010
【図９】
2019008238.tif 000011
【図１０】
2019008238.tif 000012